(57)【要約】      （修正有）【課題】弓における弓身に対しその着脱が自在であるほか、軽量で目立たない擦弦楽器によるコルレーニョ奏法のための弓身保護具を提供する。【解決手段】擦弦楽器の弓における断面略円形を呈する弓身の長さ方向での略中間部位の周囲長の１／２以上の領域への覆設を可能とすべく形成された方形を呈する本体部１２と、該本体部１２の一側辺１３側から一方に向けて先細り状に延設された一端側テーパー部２２と、本体部１２の対向他側辺１４側から他方に向けて先細り状に延設された他端側テーパー部３２とをその展開形状とする可撓塑性変形素材で一体形成する。さらに、その長さ方向とは直交する方向に向けて前記弓身と略同じ曲率の弧状にその全体を湾曲させ、かつ、拡径方向への強制的な変形を可能に塑性変形させることで、前記弓身側に対する着脱が自在な弓身保護具をに形成した。【選択図】図１
0003181087.tif 000002
【実用新案登録請求の範囲】
【請求項１】
擦弦楽器の弓における断面略円形を呈する弓身の長さ方向での略中間部位の周囲長の１／２以上の領域への覆設を可能とすべく形成された方形を呈する本体部と、該本体部の一側辺側から一方に向けて先細り状に延設された一端側テーパー部と、前記本体部の対向他側辺側から他方に向けて先細り状に延設された他端側テーパー部とをその展開形状とする可撓塑性変形素材で一体形成され、
その長さ方向とは直交する方向に向けて前記弓身と略同じ曲率の弧状にその全体を湾曲させ、かつ、拡径方向への強制的な変形を可能に塑性変形させることで、前記弓身側に対する着脱を自在に形成したことを特徴とする擦弦楽器によるコルレーニョ奏法のための弓身保護具。
【請求項２】
前記一端側テーパー部は、前記弓身に装着する際の導入ガイド部として機能させるべく、前記他端側テーパー部よりも長寸に形成した請求項１に記載の擦弦楽器によるコルレーニョ奏法のための弓身保護具。
【請求項３】
前記可撓塑性変形素材は、軽量な透明体である請求項１または２に記載の擦弦楽器によるコルレーニョ奏法のための弓身保護具。
【考案の詳細な説明】
【技術分野】
【０００１】
本考案は、バイオリンやチェロなどのような擦弦楽器によるコルレーニョ奏法のための弓身保護具に関する技術である。
【背景技術】
【０００２】
バイオリンやチェロなどの擦弦楽器は、弓身と、該弓身における弓先と毛止めとの間に張り渡された弓毛とからなる弓（ｂｏｗ）を備えてその全体が構成されている。
【０００３】
このうち、弓については、下記特許文献１に示されているように、その弓身にバランサーを補助具として巻き付けることで、バランスのとれたボーイングが可能となるようにしたものが既に提案されている。
【先行技術文献】
【特許文献】
【０００４】
【特許文献１】実用新案登録第３０５０５８２号公報
【０００５】
すなわち、特許文献１に開示されている補助具は、比重が大きく塑変形しやすい鉛板と、該鉛板の裏側に貼着されたスポンジやゴムなどからなる弾性材とで構成されており、該弾性材側が弓身側と接触する配置関係のもとで巻付け使用されることになる。
【０００６】
ところで、擦弦楽器を用いて行われる奏法の中には、コルレーニョ（ｃｏｌ  ｌｅｇｎｏ）と称される特殊奏法（本明細書では、「コルレーニョ奏法」という。）もある。
【０００７】
コルレーニョ奏法とは、弓の弓身部分で弦を叩く特殊奏法であることから、激しく叩いたりすると弓身側に無数の傷を付けてしまうことになる。このため、奏者によっては、コルレーニョ奏法のある曲を演奏する場合に限り、気に入っている弓に替えてやむなく使い古した弓を用いるという対策を講じている者もいる。
【考案の概要】
【考案が解決しようとする課題】
【０００８】
しかし、奏者にとっては、コルレーニョ奏法においても日頃から使い慣れているお気に入りの弓を用いるのが最善であることはいうまでもないものの、その際に弓身部分を傷付けないように装着できる保護具が求められていた。
【０００９】
すなわち、弓身部分に装着する保護具については、演奏途中でも簡単に着脱できること、軽量であること、装着していることが聴衆にわからないこと、などいう奏者側の諸要望に応え得るものが未だ提供されていないという不都合があった。
【００１０】
本考案は、従来のコルレーニョ奏法時における弓側にみられた上記課題に鑑み、弓における弓身に対しその着脱が自在であるほか、軽量で目立たない擦弦楽器によるコルレーニョ奏法のための弓身保護具を提供することを目的とする。
【課題を解決するための手段】
【００１１】
本考案は、上記目的を達成すべくなされたものであり、擦弦楽器の弓における断面略円形を呈する弓身の長さ方向での略中間部位の周囲長の１／２以上の領域への覆設を可能とすべく形成された方形を呈する本体部と、該本体部の一側辺側から一方に向けて先細り状に延設された一端側テーパー部と、前記方形部の対向他側辺側から他方に向けて先細り状に延設された他端側テーパー部とをその展開形状とする可撓塑性変形素材で一体形成され、その長さ方向とは直交する方向に向けて前記弓身と略同じ曲率の弧状にその全体を湾曲させ、かつ、拡径方向への強制的な変形を可能に塑性変形させることで、前記弓身側に対する着脱を自在に形成したことを最も主要な特徴とする。
【００１２】
この場合、前記一端側テーパー部は、前記弓身に装着する際の導入ガイド部として機能させるべく、前記他端側テーパー部よりも長寸に形成するのが好ましい。また、前記可撓塑性変形素材は、軽量な透明体であるのが望ましい。
【考案の効果】
【００１３】
本考案のうち、請求項１に記載の考案によれば、コルレーニョ奏法を演奏しようとする奏者は、弓の弓身における擦弦楽器の弦を叩こうとする部位に対し弓身保護具を装着することができるので、弓身を傷付けることなく安心してコルレーニョ奏法を演奏することができる。
【００１４】
請求項２に記載の考案によれば、一端側テーパー部は、他端側テーパー部よりも長寸に形成して弓身に装着する際の導入ガイド部として機能させることができるので、弓身に対する着脱をより簡単に行うことができる。
【００１５】
請求項３に記載の考案によれば、可撓塑性変形素材は、軽量な透明体で形成されているので、該素材を用いた弓身保護具を弓身に装着することで、弓身保護具の存在を聴衆に気付かれることなく、かつ、不必要な重みを感じることなくコルレーニョ奏法を安心して演奏することができる。
【図面の簡単な説明】
【００１６】
【図１】本考案の構成例を展開して示す説明図。
【図２】本考案の一例を示す全体側面図。
【図３】図２に示す本考案の一例についての端面図であり、そのうちの（ａ）は、図２におけるＡ−Ａ線矢視方向での端面図を、（ｂ）は、Ｂ−Ｂ線矢視方向での端面図を、（ｃ）は、Ｃ−Ｃ線矢視方向での端面図をそれぞれ示す。
【図４】擦弦楽器を構成する弓の弓身に対し本考案を適用した状態例を示す説明図であり、そのうちの（ａ）は、全体側面図を、（ｂ）は、（ａ）における円形囲繞部分の拡大図をそれぞれ示す。
【考案を実施するための形態】
【００１７】
本考案に係る弓身保護具は、透明なプラスチックを含む可撓塑性変形素材を用いてその全体が一体形成されており、コルレーニョ奏法時に擦弦楽器（図示省略）を構成する弓側に取り付けることで使用される。
【００１８】
図４は、擦弦楽器を構成する弓の具体的な構成例を示す側面図である。同図によれば、弓４１は、内反り状となって断面略円形を呈する弓身４２と、該弓身４２の先端側に位置する弓先４３と、基端側に配設されている毛止め４４との間に架け渡された弓毛４５とを備えて形成されている。
【００１９】
図１は、弓身保護具の一例を展開して示す説明図である。同図によれば、弓身保護具１１の全体は、方形（正方形と長方形とを含む）を呈する本体部１２と、該本体部１２の一側辺１３側、図示例では左側縦辺側から長さ方向に沿わせた一方の側、図示例では左方に向けて先細り状に延設された一端側テーパー部２２と、本体部１２の対向他側辺１４側、図示例では右側縦辺側から長さ方向に沿わせた他方の側、図示例では右方に向けて先細り状に延設された他端側テーパー部３２とで構成されている。
【００２０】
これらのうち、本体部１２は、弓身４２の長さ方向での略中間部位の周囲長の１／２以上の領域、好ましくは若干の隙間ｔを残して弓身４２の略全周を覆うことができる長さの一側辺（左側縦辺）１３と対向他側辺（右側縦辺）１４とを備えて形成されている。
【００２１】
また、一端側テーパー部２２は、本体部１２の一側辺（左側縦辺）１３側から長さ方向に沿わせた左方に向けて一側縁２３と他側縁２４とを相互に接近するように傾斜させることで先細り状に延設されており、その開放端２５は、円弧状となって形成されている。
【００２２】
さらに、一端側テーパー部２２よりもその長さ方向が短寸な他端側テーパー部３２は、本体部１２の対向他側辺（右側縦辺）１４側から長さ方向に沿わせた右方に向けて一側縁３３と他側縁３４とを相互に接近するように傾斜させることで先細り状に延設されており、その開放端３５は、円弧状となって形成されている。
【００２３】
図１に示す展開形状を呈する弓身保護具１１は、図２に示すように、その長さ方向とは直交する方向に向けて弓身４２と略同じ曲率の弧状にその全体を湾曲させ、かつ、拡径方向への強制的な変形を可能に塑性変形させることで、弓身４２側に対する着脱が自在となって形成されている。
【００２４】
この場合、図１における一端側テーパー部２２は、他端側テーパー部３２よりも長寸に形成されているので、図２に示すように全体を湾曲させた際に、その開放端２５方向に向けて緩やかに拡開する導入ガイド部２６を確保することができ、該導入ガイド部２６を介して弓身保護具１１を弓身４２側に円滑、かつ、簡単に装着することができることになる。
【００２５】
ここで、擦弦楽器がバイオリンまたはビオラである場合に用いられる弓４１に適用される弓身保護具１１のサイズの具体例を示せば、図１における長さ方向での全長ａは、８０ｍｍであり、そのうちの一端側テーパー部２２の長さｂが４０ｍｍ、本体部１２の長さｃが２０ｍｍ、他端側テーパー部３２の長さｄが２０ｍｍとなっている。また、一端側テーパー部２２の開放端２５と他端側テーパー部３２の開放端３５とのそれぞれの幅ｅは、いずれも６ｍｍとなっている。さらに、本体部１２における一側辺（左側縦辺）１３と対向他側辺（右側縦辺）１４との長さ（幅）ｆは、いずれも２０．５ｍｍとなっている。また、図２における弓身保護具１１の内径ｇは、７ｍｍである。
【００２６】
一方、擦弦楽器がチェロまたはコントラバスである場合に用いられる弓４１に適用される弓身保護具１１のサイズの具体例を示せば、図１における長さ方向での全長ａは、８０ｍｍであり、そのうちの一端側テーパー部２２の長さｂが４０ｍｍ、本体部１２の長さｃが２０ｍｍ、他端側テーパー部３２の長さｄが２０ｍｍとなっている。また、一端側テーパー部２２の開放端２５と他端側テーパー部３２の開放端３５とのそれぞれの幅ｅは、いずれも８ｍｍとなっている。さらに、本体部１２における一側辺（左側縦辺）１３と対向他側辺（右側縦辺）１４との長さ（幅）ｆは、いずれも２５．２ｍｍとなっている。また、図２における弓身保護具１１の内径ｇは、８．５ｍｍである。
【００２７】
次に、上記構成からなる図２に示す弓身保護具１１を弓身４２側に装着して使用する際の手順を説明すれば、コルレーニョ奏法を演奏しようとする奏者は、気に入っている弓４１の弓身４２における擦弦楽器の弦を叩こうとする部位（通常は、弓身４２の長さ方向での略中間位置）に対し、まず、一端側テーパー部２２側に確保される導入ガイド部２６をその開放端２５側から本体部１２方向に向けて押し当てることで、弓身４２の周面に沿わせながら本体部１２側も自然に拡開させることができるので、弓身保護具１１の全体を弓身４２側に図４に示すような位置関係のもとで円滑、かつ、簡単に装着することができる。
【００２８】
このようにして気に入っている弓４１における弓身４２に対し弓身保護具１１を装着した後は、該弓身保護具１１側で擦弦楽器の弦を適宜叩くことで所望するコルレーニョ奏法を演奏することができる。
【００２９】
この場合、弓身４２における擦弦楽器の弦と接触する部位は、弓身保護具１１で覆われているので、擦弦楽器の弦に直接接触することをなくすことができることから、気に入っている弓４１であっても傷付けることなく安心して使用することができる。
【００３０】
しかも、弓身保護具１１が透明プラスチックのような軽量な透明体で形成されている場合には、弓身４２側に装着しても弓身保護具１１の存在を聴衆に気付かれることなく、かつ、不必要な重みを感じることなくコルレーニョ奏法を安心して演奏することができる。
【００３１】
かくして奏者がコルレーニョ奏法の演奏を終えた後は、一端側テーパー部２２の開放端２５側から弓身保護具１１を引き剥がすように引っ張ることで、弓身４２から簡単に離脱させることができる。
【００３２】
以上は、本考案を図示例に基づいて説明したものであり、その具体的な構造はこれに限定されるものではない。例えば、弓身保護具１１は、他端側テーパー部３２の長さが一端側テーパー部２２の長さと同寸とした左右対称形状を呈するものであってもよい。また、弓身保護具１１自体は、所望によっては不透明なものや適宜の模様付きのものであってもよい。さらに、弓身保護具１１の本体部１２における一側辺１３と対応他側辺１４との長さは、脱落することなく弓身４２側に安定的に装着することができるのでさえあれば、擦弦楽器の弓４１の装着部位における周囲長の１／２以上の適宜の長さを付与して形成することができる。
【符号の説明】
【００３３】
１１  弓身保護具
１２  本体部
１３  一側辺
１４  対向他側辺
２２  一端側テーパー部
２３  一側縁
２４  他側縁
２５  開放端
２６  導入ガイド部
３２  他端側テーパー部
３３  一側縁
３４  他側縁
３５  開放端
４１  弓
４２  弓身
４３  弓先
４４  毛止め
４５  弓毛
ｔ  隙間
【図１】
0003181087.tif 000003
【図２】
0003181087.tif 000004
【図３】
0003181087.tif 000005
【図４】
0003181087.tif 000006